(57)【要約】      （修正有）【課題】タブレット端末又はスマートフォン（以下、本体という。）を静置した卓上又は航空機、船舶、自動車等の動揺する卓上、ボード上で、直立又は傾斜支持してハンズフリー等に使用したい場合に特に有効な、本体と一体に取りつけられる携帯スタンドを提供する。【解決手段】本体１０Ｂの背面１２Ｂにシート状に剥離可能に貼着し、直立又は傾斜支持して使用したい場合は、一たん本体背面１２Ｂから剥離して、本体背面１２Ｂから突出して曲げて形成したスタンド４０ｃとして本体に一体的に貼着し、不使用のときは、本体背面１２Ｂにシート状に貼着できるように復元する。【選択図】図７
2016019149.tif 000002
【特許請求の範囲】
【請求項１】
正面の画面にタッチパネルを搭載したタブレット端末又はスマートフォンの本体（以下、単に、本体という）を直立又は傾斜支持するスタンドに使用するため、前記本体の背面に、再剥離及び再粘着可能に粘着する、シートであって、前記シートをスタンドとして使用するときは、前記本体の背面に剥離可能に貼着した前記シートを一たん剥離して、前記シートに設けた折目又はミシン目（以下、これらを折目と総称する）を介して折り曲げ、又は、前記折目がない場合は、丸く曲げて前記本体から突出して支持するスタンドとして使用できるように形成して、前記本体に一体的に取りつけられるようにしたことを特徴としたタブレット端末又はスマートフォン一体取付用の携帯スタンド。
【請求項２】
前記携帯スタンドが、前記本体背面内に貼着できる大きさに形成したベースフィルムの裏面に、再剥離及び再粘着可能の粘着面を設けた粘着フィルムの裏面を固着して、長手方向に前記粘着面に順次、縦折目を設けて、複数個の小片を設け、両端の小片を前記本体背面に剥離可能に貼着して、残る部分の複数個の小片を折り曲げて突出した支持部に形成しスタンドとして使用できるようにしたことを特徴とした請求項１記載のタブレット端末又はスマートフォン一体取付用の携帯スタンド。
【請求項３】
前記携帯スタンドが、前記本体背面内に貼着できる大きさに形成したベースフィルムの裏面に、両端部分のみに、再剥離及び再粘着可能の粘着面を設けた粘着シートの裏面を固着して、長手方向に前記粘着フィルムの粘着面と前記ベースフィルムの裏面に順次、縦折目を設けて、複数個の小片を設け、両端の小片を前記本体背面に剥離可能に貼着して、残る部分の複数個の小片を折り曲げて突出した支持部に形成しスタンドとして使用できるようにしたことを特徴とした請求項１記載のタブレット端末又はスマートフォン一体取付用の携帯スタンド。
【請求項４】
前記携帯スタンドが、前記本体背面内に貼着できる大きさに形成したベースフィルムの裏面に、再剥離及び再粘着可能の粘着面を設けた粘着フィルムを固着して、長手方向に前記粘着シートの粘着面を、両端部分のみに縦折目を設けて、前記両端部分の小片を前記本体背面に剥離可能に貼着して、残る部分を丸く曲げて突出した支持部に形成しスタンドとして使用できるようにしたことを特徴とした請求項１記載のタブレット端末又はスマートフォン一体取付用の携帯スタンド。
【請求項５】
前記携帯スタンドが、前記本体背面内に貼着できる大きさに形成したベースフィルムの裏面に、両端部分のみに、再剥離及び再粘着可能の粘着面を設けた粘着フィルムの裏面を固着し、前記粘着シートの前記粘着面の両端部分のみに縦折目を設けて、両端部分の小片を前記本体背面に剥離可能に貼着して、残るベースフィルム部分を丸く曲げて突出した支持部に形成しスタンドとして使用できるようにしたことを特徴とした請求項１記載のタブレット端末又はスマートフォン一体取付用の携帯スタンド。
【請求項６】
前記携帯スタンドが、前記本体背面に２個又は３個重ね合わして剥離可能に粘着し、自動車のダッシュボード等の動揺するボード又は卓上に使用するときは、１枚目の前記携帯スタンドを前記本体背面から突出した支持部に形成したスタンドとして使用できるようにし、残りの２枚目又は２枚目と３枚目を前記本体背面から前記ボード又は卓上に貼着することを特徴とした請求項１、２、３、４又は５記載のタブレット端末又はスマートフォン一体取付用の携帯スタンド。
【請求項７】
前記携帯スタンドが、前記ベースフィルムの裏面の各端部から僅かな間隙をあけて前記粘着シートを粘着し、前記粘着シートの粘着面を前記本体の背面から手指により剥離しやすくしたことを特徴とした請求項１、２、３、４、５又は６記載のタブレット端末又はスマートフォン一体取付用の携帯スタンド。
【請求項８】
前記粘着フィルムの粘着面が、水洗により粘着力を復元できる粘着物を使用していることを特徴とした請求項１、２、３、４、５、６又は７記載のタブレット端末又はスマートフォン一体取付用の携帯スタンド。
【請求項９】
前記粘着フィルムの粘着面を前記本体正面の画面に当接して前記の画面のクリーニングができるようにしたことを特徴とした請求項１、２、３、４、５、６、７又は８記載のタブレット端末又はスマートフォン一体取付用の携帯スタンド。
【発明の詳細な説明】
【技術分野】
【０００１】
本発明は、タブレット端末又はスマートフォンと一体的に取りつけられる携帯スタンドに関する。
【背景技術】
【０００２】
タブレット端末又はスマートフォンを、例えばハンズフリーにして両手を使用したいときなどに、卓上で自立させるための携帯用ケースがいろいろ販売されているが、タブレット端末又はスマートフォン（以下、単に本体という。）を自立して使用したいときに携帯用ケースが別個に保管される場合が多く、急にスタンドとして、使用したいとき迅速に取り出すことができない場合が多く、また、携帯用ケースと一体型にした場合は、嵩ばって取扱いが不便であったり、重量が増えて携行に不便であったりする問題点があった。そこで、本発明者は、前記本体の背面に薄シート状に剥離可能に貼着して一体化し、直立支持又は傾斜支持したいときは、前記本体の背面から一たん剥離して組み立てれば直ちに本体と一体になって直立支持又は傾斜支持ができるようにした携帯スタンドの開発に成功した。
【先行技術文献】
【特許文献】
【０００３】
【特許文献１】特開２００７−１６９４２１号公報
【発明の概要】
【発明が解決しようとする課題】
【０００４】
本発明は、タブレット端末又はスマートフォンの本体背面に日頃は嵩ばることなく、また、重たくなることなく、薄シート状に剥離可能に貼着でき、卓上等で直立して使用又は傾斜支持して使用したいときは、直ちにスタンドとして本体と一体的に取付けることができるようにした、タブレット端末又はスマートフォン一体取付用の携帯スタンドを提供するものである。
また、本発明は、走行する車内、船内、航空機内等の絶えず動揺する卓上、ボード上等で、直立支持、傾斜支持できるようにした、タブレット端末又はスマートフォン一体取付用の携帯スタンドを提供するものである。
さらに、本発明は、再剥離性及び再粘着性に優れ、手指で剥離しやすく、水洗により粘着力が回復し、本体画面のクリーニングも兼ねることができる多機能の粘着物を使用できるようにし、また、安価に製作できて、多くの人々に利用できる軽量小型で便利なタブレット端末又はスマートフォン一体取付用の携帯スタンドを提供するものである。
【課題を解決するための手段】
【０００５】
本発明タブレット端末又はスマートフォン一体取付用の携帯スタンドは、上記課題を達成するため、図示するように、請求項１の発明は、正面の画面にタッチパネルを搭載したタブレット端末又はスマートフォンの本体（以下、単に、本体という）を直立又は傾斜支持するスタンドに使用するため、前記本体の背面に、再剥離及び再粘着可能に粘着する、シートであって、前記シートをスタンドとして使用するときは、前記本体の背面に剥離可能に貼着した前記シートを一たん剥離して、前記シートに設けた折目又はミシン目（以下、これらを折目と総称する）を介して折り曲げ、又は、前記折目がない場合は、丸く曲げて前記本体から突出して支持するスタンドとして使用できるように形成して、前記本体に一体的に取りつけられるようにしたものである。
また、本発明のタブレット端末又はスマートフォン一体取付用の携帯スタンドは、上記課題を達成するため、図示するように、請求項２の発明は、請求項１の発明において、前記携帯スタンドが、前記本体背面内に貼着できる大きさに形成したベースフィルムの裏面に、再剥離及び再粘着可能の粘着面を設けた粘着フィルムの裏面を固着して、長手方向に前記粘着面に順次、縦折目を設けて、複数個の小片を設け、両端の小片を前記本体背面に剥離可能に貼着して、残る部分の複数個の小片を折り曲げて突出した支持部に形成しスタンドとして使用できるようにしたものである。
また、本発明のタブレット端末又はスマートフォン一体取付用の携帯スタンドは、上記課題を達成するため、図示するように、請求項３の発明は、請求項１の発明において、前記携帯スタンドが、前記本体背面内に貼着できる大きさに形成したベースフィルムの裏面に、両端部分のみに、再剥離及び再粘着可能の粘着面を設けた粘着シートの裏面を固着して、長手方向に前記粘着フィルムの粘着面と前記ベースフィルムの裏面に順次、縦折目を設けて、複数個の小片を設け、両端の小片を前記本体背面に剥離可能に貼着して、残る部分の複数個の小片を折り曲げて突出した支持部に形成しスタンドとして使用できるようにしたものである。
また、本発明のタブレット端末又はスマートフォン一体取付用の携帯スタンドは、上記課題を達成するため、図示するように、請求項４の発明は、請求項１の発明において、前記携帯スタンドが、前記本体背面内に貼着できる大きさに形成したベースフィルムの裏面に、再剥離及び再粘着可能の粘着面を設けた粘着フィルムを固着して、長手方向に前記粘着シートの粘着面を、両端部分のみに縦折目を設けて、前記両端部分の小片を前記本体背面に剥離可能に貼着して、残るベースフィルム部分を丸く曲げて突出した支持部に形成しスタンドとして使用できるようにしたものである。
また、本発明のタブレット端末又はスマートフォン一体取付用の携帯スタンドは、上記課題を達成するため、図示するように、請求項５の発明は、請求項１の発明において、前記携帯スタンドが、前記本体背面内に貼着できる大きさに形成したベースフィルムの裏面に、両端部分のみに、再剥離及び再粘着可能の粘着面を設けた粘着フィルムの裏面を固着し、前記粘着シートの前記粘着面の両端部分のみに縦折目を設けて、両端部分の小片を前記本体背面に剥離可能に貼着して、残るベースフィルム部分を丸く曲げて突出した支持部に形成しスタンドとして使用できるようにしたものである。
また、本発明のタブレット端末又はスマートフォン一体取付用の携帯スタンドは、上記課題を達成するため、図示するように、請求項６の発明は、請求項１、２、３、４又は５の発明において、前記携帯スタンドが、前記本体背面に２個又は３個重ね合わして剥離可能に粘着し、自動車のダッシュボード等の動揺するボード又は卓上に使用するときは、１枚目の前記携帯スタンドを前記本体背面から突出した支持部に形成したスタンドとして使用できるようにし、残りの２枚目又は２枚目と３枚目を前記本体背面から前記ボード又は卓上に貼着するものである。
また、本発明のタブレット端末又はスマートフォン一体取付用の携帯スタンドは、上記課題を達成するため、図示するように、請求項７の発明は、請求項１、２、３、４、５又は６の発明において、前記携帯スタンドが、前記ベースフィルムの裏面の各端部から僅かな間隙をあけて前記粘着シートを粘着し、前記粘着シートの粘着面を前記本体の背面から手指により剥離しやすくしたものである。
また、本発明のタブレット端末又はスマートフォン一体取付用の携帯スタンドは、上記課題を達成するため、図示するように、請求項８の発明は、請求項１、２、３、４、５、６又は７の発明において、前記粘着フィルムの粘着面が、水洗により粘着力を復元できる粘着物を使用しているものである。
さらに、本発明のタブレット端末又はスマートフォン一体取付用の携帯スタンドは、上記課題を達成するため、図示するように、請求項９の発明は、請求項１、２、３、４、５、６又は７の発明において、前記粘着フィルムの粘着面を前記本体正面の画面に当接して前記の画面のクリーニングができるようにしたものである。
本発明において、ベースフィルムに粘着剤層を設ける場合は、ベースフィルムに折目又はミシン目を設け、両面の剥離フィルムを剥離して粘着剤層をはり合せるだけで済む。ベースフィルムに厚い両面粘着フィルムを固着する場合は、ベースフィルムの折線、ミシン目に沿って粘着フィルムに同時的に折目もつけるようにする。ベースフィルムが薄いフィルムの場合は、粘着フィルムに折目をつけるだけで済む場合がある。粘着フィルムはベースフィルムの折線又はミシン目のところを僅かにあけて別々に設ける場合がある。
【発明の効果】
【０００６】
本発明は、タブレット端末又はスマートフォンの本体を、ハンズフリー、自画像作成等必要なとき、いつでも、迅速容易に、本体と一体にスタンドとして形成でき、特に、航空機、船舶、自動車等の動揺する卓上やボード上でも直立又は傾斜支持ができる利点は大きい。また、本体と一体になって、再剥離したり再粘着したりするが、手指で剥離しやすく、また使用回数を重ねて汚染し粘着物の粘着力が弱くなったときは、水洗するだけで粘着力が回復でき、また、本体正面画面の汚染にも粘着フィルムの粘着面を当接するだけでクリーニングできる利点がある。
さらに、本発明品は、薄シート状、小型、軽量に本体に貼着して携行でき、従来の携帯ケースのように携行上や使用上の不便は全くない利点がある。
【図面の簡単な説明】
【０００７】
【図１】本発明品の実施例を示す展開してシート状にした説明図である。
【図２】本発明品の実施例を示す展開してシート状にした別の説明図である。
【図３】本発明品の実施例を示す展開してシート状にした別の説明図である。
【図４】本発明品の実施例を示す展開してシート状にした別の説明図である。
【図５】図１又は図２の本発明品を本体のスタンドとして使用するときの使用状態の説明図である。
【図６】図３又は図４の本発明品を本体のスタンドとして使用するときの使用状態の説明図である。
【図７】本発明品を動揺するボード又は卓上に設置して使用するときの使用状態の説明図である。
【発明を実施するための形態】
【０００８】
本発明を実施するための形態が実施例１、実施例２及び実施例３に記載される。
【実施例１】
【０００９】
本発明のタブレット端末又はスマートフォン一体取付用の携帯スタンドの実施例１が図１及び図５に示されている。本発明の実施例１をスマートフォンの本体について実施した場合に例を挙げて説明する。本発明品は、本体１０の背面１２内に貼着できる大きさに形成したポリエステルフィルム等のベースフィルム２０の裏面２１に、表面が再剥離及び再粘着可能のポリウレタン系粘着体等の粘着物からなる粘着面２２１からなる粘着フィルムを貼着して、長手方向に、前記粘着面２２１からベースフィルム２０にかけて、縦折目３１、３２、３３を設けて、４個の小片３１１、３２１、３３１及び３４１を設けて、シリコンコーティングのポリエステルフィルム等の剥離フィルム（図示しない）を貼着したものである。この本発明品は、本体１０の背面１２に前記剥離フィルムを剥離した粘着面２２１を剥離可能に貼着しておく。
本体１０は、卓上（図示しない）に立てるときは、本発明品を本体１０の背面１２から一たん剥離して、両端の小片３１１及び３４１を本体背面１２に貼着し、縦折目３１、３２、３３を介して他の小片３２１及び３３１を本体背面１２から突出するように折り曲げた支持部４０ａに形成しスタンドとして使用する。
本発明品をスタンドとして使用しないときは、小片３１２及び３１４を本体背面１２から剥離して１枚のシート状に戻して再び本体背面１２に貼着する。
図１に示すように、ベースフィルム２０に貼着した粘着面２２１は、ベースフィルム２０の各端部より僅かな間隙であるが、ベースフィルム２０の裏面から、あけて粘着させてあるので、本体背面１２に本発明品を貼着してもベースフィルム２０と粘着面２２１とは手指で剥離しやすい。また、粘着面２２１は、ポリウレタン系又はこれ相当の公知の粘着物であるときは、ゴミ、塵埃、手あか等により汚染されて粘着力の減退した粘着力を水洗いにより復元できる。さらに、粘着面２２１は、本体１０正面画面（図示しない）の汚染を、当接してクリーニングする便利さがある。
【実施例２】
【００１０】
本発明のタブレット端末又はスマートフォンの一体取付用の携帯スタンドの実施例２が図４及び図６に示されている。本発明の実施例２をスマートフォンの本体について実施した場合に例を挙げて説明する。本発明品は、本体１０の背面１２内に貼着できる大きさに形成したポリエステルフィルム等のベースフィルム２０の裏面２１に、両端部分のみに、再剥離及び再粘着可能のポリウレタン粘着物２２１からなる粘着フィルム２２を貼着して、縦折目３１、３３を前記粘着面２２１からベースフィルム２０にかけて設けて、両端部分に２個の小片３１１、３４１を設けて、シリコンコーティングしたポリエステルフィルム等の剥離フィルム（図示しない）を前記各小片３１１、３４１に貼着したものである。
本体１０を、卓上（図示しない）に立てるときは、本発明品を本体１０の背面１２から一たん剥離して、両端の小片３１１及び３４１を本体背面１２に貼着し、縦折目３１、３２、３３を介してポリエステルフィルム等のベースフィルム２０のうち比較的薄いフィルムを本体背面１２から突出するように丸く曲げた支持部４０ｂに形成しスタンドとして使用する。
スタンドとして使用しないときは、両端の小片３１２及び３１４を剥離して１枚の薄シート状に戻して再び本体背面１２に貼着する。
その他は、実施例１の場合と同様であるので詳細説明は省略する。
【実施例３】
【００１１】
本発明のタブレット端末又はスマートフォン一体取付用の携帯スタンドの実施例３が図７に示されている。本発明の実施例３を，動揺するボード上に置かれたタブレット端末の本体について実施した場合に例を挙げて説明する。本発明品は、本体１０Ｂの背面１２Ｂ内に貼着できる大きさに形成したポリエステルフィルム等のベースフィルム２０Ｂの裏面２１Ｂに、両端部分のみに再剥離及び再粘着可能のポリウレタン粘着物等の粘着面２２１Ｂを設けた粘着フィルム２２Ｂを固着して、両端部分に２個の小片３１１（１）Ｂ及び３４１（１）Ｂを設けて、シリコンコーティングしたポリエステルフィルム等の剥離フィルム（図示しない）を各小片３１１Ｂ及び３４１Ｂの各粘着面２２１Ｂに仮接着したものである。
本発明品は、本体１０Ｂの背面１２Ｂに、３個の同じ本発明品を各剥離フィルムを剥離して順次再剥離及び再粘着可能に積み重ね合わせにより粘着しておく。
本体１０Ｂを、動揺するボード立て（図示しない）に立てるときは、図７に示すように、本体背面１２Ｂに３個重ね合わして粘着した最上の第１枚目の本発明品を剥離して、実施例２に示したように、２０Ｂの両端に形成した小片３１１（１）Ｂ及び３４１（１）Ｂの各粘着面２２１Ｂを本体背面１２Ｂに粘着して、残る部分を本体背面１２Ｂから突出するように、丸く曲げた支持部４０Ｃを形成して、スタンドとして使用できるようにする。
次に、第２枚目及び第３枚目の本発明品を剥離して、図７に示すように、小片３１１（２）Ｂ及び３４１（２）Ｂの一方の各粘着面２２１Ｂを本体背面１２Ｂに粘着し、他方の各粘着面２２１Ｂを卓上又はボード上に粘着する。小片３３１（３）Ｂ及び３４１（３）Ｂについても同様に処理する。以上の処理により、動揺するボード等に直立又は傾斜支持されたタブレット端末又はスマートフォンは、倒れたり、落下したりすることはなく、安定して置くことができる。
【産業上の利用可能性】
【００１２】
本発明品は、小型、軽量及び製作容易で安価に製造できる。
【符号の説明】
【００１３】
１０、１０Ｂ                              本体
１２、１２Ｂ                              本体裏面
２０、２０Ｂ                              ベースフィルム
２１、２１Ｂ                              ベースフィルム裏面
３１、３２、３３、３４                    縦折目
３１Ｂ、３２Ｂ、３３Ｂ、３４Ｂ            縦折目
３１１、３２１、３３１、３４１            切り込み小片
３１１Ｂ、３２１Ｂ、３３１Ｂ、３４１Ｂ    切り込み小片
４０ａ、４０ｂ、４０ｃ                    突出した支持部
【図１】
2016019149.tif 000003
【図２】
2016019149.tif 000004
【図３】
2016019149.tif 000005
【図４】
2016019149.tif 000006
【図５】
2016019149.tif 000007
【図６】
2016019149.tif 000008
【図７】
2016019149.tif 000009